(57)【要約】【課題】学習リモコンに学習・記憶させたリモコンデータを保存したり、別の同種の学習リモコンに簡単にコピーすることができる学習リモコンシステムを提供する。【解決手段】一の学習リモコン１０に学習させてそのフラッシュメモリー１４に記憶させたリモコンデータを、コネクター２３’を介してリモコンデータ保存ユニット２０のフラッシュメモリー２２に保存し、この保存データを、コネクター２３’を介して別の学習リモコン１０のフラッシュメモリー１４にコピーする。リモコンデータ保存ユニット２０は、データ入力ボタン２４と、データ出力ボタン２５と、リモコンデータの転送を制御する制御部２１とを含む。リモコンデータ保存ユニット２０に保存したリモコンデータをコピーする学習リモコンとしては、登録機能を有さずかつ再生機能を有する再生専用リモコンとすることができる。【選択図】図１
2008193415.tif 000002
【特許請求の範囲】
【請求項１】
再生用記憶部を有する一又は複数の学習リモコンと、コピー用記憶部を有するリモコンデータ保存ユニットと、前記再生用記憶部とコピー用記憶部との間にデータを転送するためのデータ転送手段とを備えた学習リモコンシステムであって、
少なくとも一つの前記学習リモコンは、一又は複数の機器に対する各種のリモコン信号を操作ボタンに対応付けたリモコンデータとして前記再生用記憶部に記憶する登録機能と、再生用記憶部に存在するリモコンデータから操作ボタンに対応するリモコン信号を再生して送信する再生機能とを有し、
前記リモコンデータ保存ユニットは、前記データ転送手段を介して、前記再生用記憶部に存在するリモコンデータをコピー用記憶部にコピーして保存すると共に、該保存したリモコンデータを前記再生用記憶部にコピーすることができることを特徴とする学習リモコンシステム。
【請求項２】
前記学習リモコンは、前記登録機能を有さずかつ前記再生機能を有するものを含む請求項１に記載の学習リモコンシステム。
【請求項３】
前記学習リモコン及びリモコンデータ保存ユニットは、データ入出力インターフェースをそれぞれ含み、前記データ転送手段は、これらデータ入出力インターフェース間を接続可能なコネクターを含む請求項１又は２に記載の学習リモコンシステム。
【請求項４】
前記リモコンデータ保存ユニットは、前記コネクターを通じて前記学習リモコン側の電源から電源供給を受ける請求項３に記載の学習リモコンシステム。
【請求項５】
前記リモコンデータ保存ユニットは、前記再生用記憶部に存在するリモコンデータをコピー用記憶部にコピーする際に操作するデータ入力ボタンと、コピー用記憶部に保存したリモコンデータを再生用記憶部にコピーする際に操作するデータ出力ボタンと、データ入力ボタン及びデータ入力ボタンの操作信号に基づいてリモコンデータの転送を制御する制御部とを含む請求項１〜４のいずれか一に記載の学習リモコンシステム。
【請求項６】
請求項１〜５のいずれか一に記載の学習リモコンシステムに使用する学習リモコン。
【請求項７】
請求項１〜５のいずれか一に記載の学習リモコンシステムに使用するリモコンデータ保存ユニット。
【発明の詳細な説明】
【技術分野】
【０００１】
本発明は、学習リモコンシステムに関し、更に詳しくは、学習リモコンに学習・記憶させたリモコンデータを保存したり、この保存したリモコンデータを別の同種の学習リモコンに簡単にコピーすることができる学習リモコンシステムに関する。
【背景技術】
【０００２】
現在、テレビ、ＤＶＤ録画再生装置、空調装置、照明装置等の複数の機器にそれぞれ対応する複数の専用リモコンの機能を、一機の学習リモコンに代用させることが行われている（例えば、特開平８−３３１６６６号公報参照）。例えば、学習リモコンにテレビの電源ＯＮ／ＯＦＦ機能を学習させる場合、一般に、テレビの電源ＯＮ／ＯＦＦに対応する赤外線リモコン信号を、互いに突き合わせたテレビ専用リモコンの赤外線発信部から学習リモコンの赤外線受信部へと発信する。この際、学習リモコン側では、機種モードをテレビモードとして、このＯＮ／ＯＦＦ信号を割り付ける一の操作ボタンを押下している。学習リモコンは、受信した赤外線リモコン信号のキャリア周波数、キャリアデューティー比、キャリア有無間隔等からデータパターン等を学習して、該信号及び操作ボタンに対応するリモコンデータとして記憶する。そして、テレビの電源をＯＮ／ＯＦＦする際は、学習リモコンの上記一の操作ボタンを押すと、これに対応するリモコンデータに基づいて、対応する赤外線信号を再生し、これを赤外線発信部から発信する。
【０００３】
以上のような学習操作を、複数機器の複数のリモコン機能について行うことにより、学習リモコンを作ることができる。
【特許文献１】特開平８−３３１６６６号公報
【発明の開示】
【発明が解決しようとする課題】
【０００４】
従来の学習リモコンでは、次のような問題があった。すなわち、学習リモコンに所望のリモコン機能ボタン割付け登録を行った後、この学習リモコンが落下したり飲料で濡れたりすることによって破損等した場合、別の同種の学習リモコンに対して、上記学習操作を再度行わなければならず、非常に手間がかかるばかりか、操作キーの割付けパターンを忘れてしまったり、専用リモコンが紛失していたりして、同じ学習リモコンを再現することができない場合が生じる。
【０００５】
また、例えばホテル等の各客室において、同様の学習リモコンを利用する場合、従来は、各学習リモコンごとに学習操作を行う必要があり、多大な労力を要した。
【０００６】
本発明は、以上の問題点に鑑みてなされたもので、その目的は、学習リモコンに学習・記憶させたリモコンデータを保存したり、別の同種の学習リモコンに簡単にコピーすることができる学習リモコンシステムを提供することにある。
【課題を解決するための手段】
【０００７】
本発明によれば、再生用記憶部を有する一又は複数の学習リモコンと、コピー用記憶部を有するリモコンデータ保存ユニットと、前記再生用記憶部とコピー用記憶部との間にデータを転送するためのデータ転送手段とを備えた学習リモコンシステムであって、少なくとも一つの前記学習リモコンは、一又は複数の機器に対する各種のリモコン信号を操作ボタンに対応付けたリモコンデータとして前記再生用記憶部に記憶する登録機能と、再生用記憶部に存在するリモコンデータから操作ボタンに対応するリモコン信号を再生して送信する再生機能とを有し、前記リモコンデータ保存ユニットは、前記データ転送手段を介して、前記再生用記憶部に存在するリモコンデータをコピー用記憶部にコピーして保存すると共に、該保存したリモコンデータを前記再生用記憶部にコピーすることができることを特徴とする学習リモコンシステムが提供される。
【０００８】
本発明に係る学習リモコンシステムは、上記登録機能及び再生機能を有する少なくとも一つの学習リモコン（マスターリモコン）と、マスターリモコンの登録データをコピーして保存させるリモコンデータ保存ユニットと、リモコンデータ保存ユニットに保存した登録データを、別の学習リモコンにコピーするためのデータ転送手段とを含む。マスターリモコンの登録データをコピーする別の学習リモコンとしては、マスターリモコンと同様の登録機能及び再生機能を有するリモコンの他、登録機能を持たないがマスターリモコンと同様の再生機能を有するリモコン（再生専用リモコン）を含む。再生専用リモコンは、マスターリモコンの登録データを、リモコンデータ保存ユニットを介してコピーすることにより、テレビ、ＤＶＤ装置等に対し、マスターリモコンと全く同様にリモコン信号を発してリモコン操作することができる。学習リモコンの再生用記憶部及びリモコンデータ保存ユニットのコピー用記憶部としては、電源を切ってもデータが消滅しないフラッシュメモリー等を好ましく用いることができる。
【０００９】
本発明の一実施形態において、前記学習リモコン及びリモコンデータ保存ユニットは、データ入出力インターフェースをそれぞれ含み、前記データ転送手段は、これらデータ入出力インターフェース間を接続可能なコネクターを含む。データ転送手段としては、無線等を含むが、学習リモコンとリモコンデータ保存ユニットとを簡単に接続できる、学習リモコン側及び／又はリモコンデータ保存ユニット側に付属するコネクターとすることが望ましい。
【００１０】
本発明の別の一実施形態において、前記リモコンデータ保存ユニットは、前記コネクターを通じて前記学習リモコン側の電源から電源供給を受ける。
【００１１】
本発明の更に別の一実施形態において、前記リモコンデータ保存ユニットは、前記再生用記憶部に存在するリモコンデータをコピー用記憶部にコピーする際に操作するデータ入力ボタンと、コピー用記憶部に保存したリモコンデータを再生用記憶部にコピーする際に操作するデータ出力ボタンと、データ入力ボタン及びデータ入力ボタンの操作信号に基づいてリモコンデータの転送を制御する制御部とを含む。
【発明の効果】
【００１２】
本発明によれば、学習リモコンに学習させて再生用記憶部に登録したリモコンデータを、データ転送手段を介してリモコンデータ保存ユニットのコピー用記憶部に保存することにより、その学習リモコンが破損等しても、保存したデータを別の同種の学習リモコンにコピーすることにより、同じリモコン機能を有する学習リモコンを簡単に復元することができる。また、一つの学習リモコンをマスターリモコンとして、これに学習させて登録したリモコンデータをリモコンデータ保存ユニットに保存し、次いで、この保存データを、マスターリモコンと同じ再生機能を有する別の学習リモコンにコピーすることにより、マスターリモコンのコピーリモコンを簡単に作成することができる。そのため、例えば、ホテル等の各客室において同様の学習リモコンを利用する場合、一のマスターリモコンから各室ごとのコピーリモコンを作ることで、各学習リモコンごとに学習操作を行う労力が不要となる。
【発明を実施するための最良の形態】
【００１３】
以下、本発明の好適な実施形態を添付図面を参照して説明する。図１は、本発明に係る学習リモコンシステムの概略説明図であり、このシステムは、一又は複数の学習リモコン１０と、リモコンデータ保存ユニット２０とを備えている。
【００１４】
図２は、学習リモコン１０の概略構成図であり、学習リモコン１０は、ＣＰＵ１２、ＲＯＭ１３、ＲＡＭ（図示せず）、及び再生用記憶部としてのフラッシュメモリー１４からなるマイコン部１１と、複数の操作ボタン１５’（図１参照）、モード切替ボタン等からなる操作部１５と、テレビ、ＤＶＤ録画再生装置等の間で赤外線リモコン信号を送受信するための、フォトトランジスタ、赤外線ＬＥＤ等からなる赤外線信号送受信部１６と、受信した赤外線リモコン信号のキャリアパターン等を分析して対応するリモコンコードに変換し、このコードを一の操作ボタン１５’に対応付けてフラッシュメモリー１４にリモコンデータとして格納すると共に、この格納データから、操作された一の操作ボタン１５’に対応するリモコンコードを生成して赤外線信号送受信部１６に供給し、該コードに対応する赤外線リモコン信号を送信させる赤外線信号変換処理部１７と、リモコンデータ保存ユニット２０との間でリモコンデータを入出力するための入出力インターフェース部１８と、電池からなる電源供給部１９とを備えている。また、入出力インターフェース部１８には、後述するリモコンデータ保存ユニット２０のコネクター２３’を受け入れて接続可能なコネクター接続部１８’（図４参照）が設けられている。更に、コネクター接続部１８’の一部は、電源供給部１９と接続してコネクター２３’を通じてリモコンデータ保存ユニット２０に電源を供給することができるように構成されている。
【００１５】
図３は、リモコンデータ保存ユニット２０の概略構成図であり、保存ユニット２０は、筐体２０’（図１参照）内に、制御部としてのＣＰＵ２１と、コピー用記憶部としてのフラッシュメモリー２２と、学習リモコン１０の入出力インターフェース部１８との間でリモコンデータを入出力するための入出力インターフェース部（リモコンデータ送受信部）２３とを備えている。リモコンデータ保存ユニット２０はまた、筐体２１の外側に、データ入力ボタン２４と、データ出力ボタン２５と、学習リモコン１０側の入出力インターフェース部１８のコネクター接続部１８’に接続するための、５本の突出端子からなるコネクター２３’とを有している。なお、コネクター２３’の５本の端子は、電源用と、アース用と、データ入力用と、データ出力用と、制御信号用とからなる。
【００１６】
学習リモコン１０は、例えば、テレビの電源をＯＮ／ＯＦＦさせる赤外線リモコン信号を学習させて登録する場合、学習リモコン１０の赤外線信号送受信部１６に対し、このＯＮ／ＯＦＦ信号を割り付ける一の操作ボタン１５’を押し、テレビ専用リモコン（図示せず）の電源ＯＮ／ＯＦＦリモコン信号を発信する。赤外線信号送受信部１６で受信したこの赤外線信号は、赤外線信号変換処理部１７において、キャリア周波数、キャリアデューティー比、キャリア有無間隔等からフォーマット種別及びデータパターンを識別して、対応するリモコンコードを生成し、このコードに一の操作ボタン１５’を割り付けて、対応するリモコンデータとしてフラッシュメモリー１４に格納する。そして、テレビをＯＮ／ＯＦＦする場合は、テレビに向かって割付けた一の操作ボタン１５’を押すと、対応するリモコンデータから赤外線信号変換処理部１７において対応するリモコンコードを生成し、該コードに対応する赤外線リモコン信号を赤外線信号送受信部１６の赤外線ＬＥＤを駆動して送信する。これにより、テレビの電源をＯＮ／ＯＦＦすることができる。なお、本発明において、リモコン信号の学習・登録方法としては、上述したものに限定されず、例えば、パソコン画面上で行うリモコンコード及びボタン割付け作業等を含むものであってもよい。
【００１７】
学習リモコンシステムにおいて、学習リモコン１０のフラッシュメモリー１４に格納したリモコンデータを、リモコンデータ保存ユニット２０のフラッシュメモリー２２にコピーする場合、まず、保存ユニット２０のコネクター２３’をリモコン１０のコネクター接続部１８’に接続する。これにより、コネクター２３’を通じてリモコン１０側の電池から保存ユニット２０に電力が供給される。次いで、データ入力ボタン２４を押すと、保存ユニット２０側のＣＰＵ２１からコネクター２３’を介してリモコン１０側のＣＰＵ１２にデータ転送のための制御信号が送られ、ＣＰＵ１２の制御下で、リモコン側フラッシュメモリー１４に存在する全リモコンデータがリモコン側入出力インターフェース部１８に出力され、このデータがコネクター２３’を通じて保存ユニット側入出力インターフェース部２３に転送され、このデータを、保存ユニット側ＣＰＵ２１は、入出力インターフェース部２３からフラッシュメモリー２２に入力する。
【００１８】
学習リモコンシステムでは、リモコンデータ保存ユニット２０のフラッシュメモリー２２に保存したリモコンデータを、上記学習リモコン１０と同じ構成の別の学習リモコン１０のフラッシュメモリー１４にコピーすることができる。この場合は、コネクター２３’をコネクター接続部１８’に接続後、データ出力ボタン２５を押す。これにより、保存ユニット側フラッシュメモリー２２に保存した全リモコンデータが上述した入力経路を逆に辿ってリモコン側フラッシュメモリー１４に転送される。従って、学習リモコン１０に登録したリモコンデータを、同じ構成の別の学習リモコン１０へコピーすることが非常に簡単に行えるようになる。
【００１９】
また、学習リモコンシステムでは、リモコン信号を学習・登録させる学習リモコン（マスターリモコン）１０の登録データをリモコンデータ保存ユニット２０に保存した後、この保存データを、再生専用の学習リモコンにコピーすることができる。この再生専用リモコンは、図示はしないが、上述した学習リモコン１０とは、登録機能を有さない点を除き同じ構成を有し、再生機能、操作ボタンの配列等が学習リモコン１０と共通する。そのため、この再生専用リモコンのフラッシュメモリーに保存ユニット２０の保存データを、上述した学習リモコン１０に対する場合と同様にコピーすることにより、再生専用リモコンは、マスターリモコンと同様に各種機器に対しリモコン制御信号を発することができるようになる。
【図面の簡単な説明】
【００２０】
【図１】本発明に係る学習リモコンシステムの概略説明図である。
【図２】学習リモコンの概略構成図である。
【図３】リモコンデータ保存ユニットの概略構成図である。
【図４】コネクター及びコネクター接続部の拡大説明図である。
【符号の説明】
【００２１】
１０  学習リモコン
１１  マイコン部
１４  フラッシュメモリー
１５’  操作ボタン
１６  赤外線信号送受信部
１８  入出力インターフェース部
１８’  コネクター接続部
２０  リモコンデータ保存ユニット
２１  ＣＰＵ
２２  フラッシュメモリー
２３  入出力インターフェース部
２３’  コネクター
２４  データ入力ボタン
２５  データ出力ボタン
【図１】
2008193415.tif 000003
【図２】
2008193415.tif 000004
【図３】
2008193415.tif 000005
【図４】
2008193415.tif 000006